(57)【要約】【課題】落下等による衝撃力が作用した際のカムフォロアとカム溝の間の係合外れやカムフォロア固着部の抜け落ちが生じにくく、小型化も可能なレンズ鏡筒を提供する。【解決手段】このレンズ鏡筒は、固定枠により回転可能に支持される回転枠３と、回転枠３の内周部に嵌入し、進退可能に支持される第一群枠４を有しており、第一群枠４の外周部には回転枠３のカム溝３ｃに係合するカムフォロア１４が固着されており、回転枠３の回転に伴って第一群枠４がカムフォロア１４を介して進退駆動される。カムフォロア１４の軸部１４ａは、第一群枠４に設けられた傾斜した軸穴４ｈに圧入固着されている。第一群枠４が外力を受けた場合、該外力による傾斜した軸穴４ｈの変形が抑えられ、カムフォロア１４の抜け出しが防止され、同時にカムフォロアとカム溝とが受ける径方向の力も少なくなり、カム溝の係合の外れも防止できる。【選択図】図３
2008107422.tif 000002
【特許請求の範囲】
【請求項１】
カムフォロアを有する第一の枠と、上記カムフォロアと係合するカム溝を有する第二の枠とからなり、上記第一の枠が上記第二の枠に対して繰り出し側と繰り込み側に進退移動が可能であるレンズ鏡筒において、
上記カム溝と係合する上記カムフォロアの係合部の繰り込み側の上記カム溝に対する接触線を第一の接触線とし、上記カムフォロアの繰り出し側の接触線を第二の接触線としたとき、上記第一の接触線と上記第二の接触線とがなす角を二等分する軸線は、上記繰り出し側、または、上記繰り込み側に傾きを有し、かつ、上記軸線上の上記繰り込み側方向に上記係合部が設けられていることを特徴とするレンズ鏡筒。
【請求項２】
上記カムフォロアは、上記係合部から上記軸線に沿って上記繰り出し側方向に延在する軸部を有しており、該軸部が上記第一の枠に嵌入していることを特徴とする請求項１に記載のレンズ鏡筒。
【請求項３】
上記カム溝は、貫通した開口部を有するカム溝であり、上記軸部は、上記開口部を貫通して第一の枠に嵌入されていることを特徴とする請求項２に記載のレンズ鏡筒。
【発明の詳細な説明】
【技術分野】
【０００１】
本発明は、レンズ鏡筒の構造、特にレンズ鏡筒の進退駆動機構に関する。
【背景技術】
【０００２】
進退駆動機構としてカムフォロアとカム溝を利用した従来のレンズ鏡筒として、図１０の断面図に示すレンズ鏡筒１００は、固定枠（図示せず）と回転枠１０１とレンズを保持する進退枠１０２とを有している。このレンズ鏡筒１００では、回転枠１０１を回転駆動することによってカム溝１０１ａとカムフォロア１０４を介して進退枠１０２が回転規制状態でレンズ光軸Ｏ方向に進退駆動される。
【０００３】
カムフォロア１０４は、進退枠１０２の軸穴に圧入し、固着される軸部１０４ｂを有し、カム溝１０１ａとの係合部は軸対称のテーパ面である。軸部１０４ｂが嵌入する進退枠１０２の軸穴の方向Ｄ13は、光軸Ｏと直交するラジアル方向Ｒに沿っている。したがって、カムフォロア１０４の係合部１０４ａがカム溝１０１ａと繰り込み側および繰り出し側で接触する接触線の光軸Ｏとのなす角θ101，θ102は等しくなっている。
【０００４】
上述した構成を有するレンズ鏡筒１００に対して進退枠１０２が回転枠１０１よりも突出して繰り出されている状態にて落下等により光軸Ｏ方向の衝撃力がレンズ鏡筒１００に作用した場合、回転枠１０１と進退枠１０２との間に介在するカムフォロア１０４が上記衝撃力を受ける。
【０００５】
いま、上記衝撃力をＦ0 とし、カムフォロア１０４の数を３個とすると、カム溝１０１ａと１つのカムフォロア１０４の間にＦ0 ／３の衝撃力が作用し、衝撃力Ｆ0 ／３によって、カム溝１０１ａ面上には垂直方向の分力Ｆ11、水平方向の分力Ｆ12が作用する。カム溝１０１ａの光軸Ｏに対する傾斜（リード）の影響を無視すると、上記水平方向の分力Ｆ12は、
Ｆ12＝（Ｆ0 ／３）×ｃｏｓθ101 …（１）
となる。
【０００６】
したがって、上記衝撃力を受けた場合、カム溝１０１ａ面上に作用する水平方向の分力Ｆ12によって、進退枠１０２は内側に、回転枠１０１は外側に変形する。この変形によりカム溝１０１ａとカムフォロア１０４の係合部１０４ａとの係合が浅くなって、衝撃の度合によってはその係合が外れるといった不具合が生じる。
【０００７】
一方、カムフォロア１０４の軸部１０４ｂが嵌入する進退枠１０２の軸穴は、光軸Ｏと直交方向に沿って形成されているが、上記衝撃力により軸部１０４ｂにより軸径方向（光軸Ｏ方向）に押圧され、軸穴を広げる力が発生する。したがって、軸部の圧入力が減り、カムフォロア１０４が軸穴から外れやすくなるといった不具合も生じる。
【０００８】
特許文献１には上記衝撃力によるカムフォロアの内方への移動を抑え、カムフォロアの係合の外れを防止することができるレンズ鏡筒が開示されている。
【０００９】
このレンズ鏡筒においては、移動筒（枠部材）に固着され、テーパ面を有するカムピン（カムフォロア）の外力作用側に変形可能なヒンジ溝を設けた構造を採用している。上記移動筒の先端に外力が作用した場合、上記ヒンジ溝が弾性変形して上記カムピンがカム溝側に変位する。したがって、上記カムピンとカム溝との係合の外れが生じにくい。
【００１０】
また、特許文献２には、同様に衝撃力に対してカムピン（カムフォロア）が外れにくいレンズ鏡筒構成が開示されている。このレンズ鏡筒では、回転枠に図１０に示す通常形式のカム溝とは逆テーパの貫通開口部付きカム溝を設け、該逆テーパのカム溝に係合する逆テーパのカムフォロアが該カム溝の外周側から挿入され、進退枠側の軸穴に圧入固着される。上記レンズ鏡筒に外部から衝撃力が作用した場合、上述のように逆テーパのカム溝，カムフォロアを適用しているため、進退枠の変形によりカムフォロアの係合が外れることがない。
【特許文献１】特開２００４−１２５９７１号公報
【特許文献２】特開２００３−２７９８２９号公報
【発明の開示】
【発明が解決しようとする課題】
【００１１】
しかし、特許文献１によるレンズ鏡筒は、カムピンを変位可能に支持するためのヒンジ溝を設ける必要があり、構造が複雑化し、レンズ鏡筒の外形も大きくなる可能性がある。
【００１２】
また、特許文献２によるレンズ鏡筒では、カムフォロアのカム溝からの外れは生じない。しかし、衝撃力を受けた場合、上記カムフォロアの軸部に側方（光軸Ｏ方向）の力が作用し、上記軸穴が変形する。該変形により上記軸穴との圧入固着力が減少して上記カムフォロアが外れるといった不具合が生じる可能性がある。
【００１３】
本発明は、上述の問題を解決するためになされたものであり、落下等による衝撃力が作用した場合でもカムフォロアとカム溝の間の係合やカムフォロアの枠部材との固着部の抜け落ちが生じにくく、小型化も可能なレンズ鏡筒を提供することを目的とする。
【課題を解決するための手段】
【００１４】
本発明の請求項１記載のレンズ鏡筒は、カムフォロアを有する第一の枠と、上記カムフォロアと係合するカム溝を有する第二の枠とからなり、上記第一の枠が上記第二の枠に対して繰り出し側と繰り込み側に進退移動が可能であるレンズ鏡筒において、
上記カム溝と係合する上記カムフォロアの係合部の繰り込み側の上記カム溝に対する接触線を第一の接触線とし、上記カムフォロアの繰り出し側の接触線を第二の接触線としたとき、上記第一の接触線と上記第二の接触線とがなす角を二等分する軸線は、上記繰り出し側、または、上記繰り込み側に傾きを有し、かつ、上記軸線上の上記繰り込み側方向に上記係合部が設けられている。
【００１５】
本発明の請求項２記載のレンズ鏡筒は、請求項１に記載のレンズ鏡筒において、上記カムフォロアは、上記係合部から上記軸線に沿って上記繰り出し側方向に延在する軸部を有しており、該軸部が上記第一の枠に嵌入している。
【００１６】
本発明の請求項３記載のレンズ鏡筒は、請求項２に記載のレンズ鏡筒において、上記カム溝は、貫通した開口部を有するカム溝であり、上記軸部は、上記開口部を貫通して第一の枠に嵌入されている。
【発明の効果】
【００１７】
本発明によれば、落下等による衝撃力が作用した場合、カムフォロアとカム溝の間の係合が外れ（脱落）にくく、しかも、小型化も可能なレンズ鏡筒、あるいは、カムフォロアの枠部材との固着部の抜け落ちが生じにくいレンズ鏡筒を提供することができる。
【発明を実施するための最良の形態】
【００１８】
以下、図を用いて本発明の実施形態について説明する。 
図１は、本発明の第一の実施形態のレンズ鏡筒の分解斜視図である。図２は、上記レンズ鏡筒の光軸に沿った断面図である。図３は、上記レンズ鏡筒のカム溝／カムフォロア係合部まわりの光軸に沿った拡大断面図であって、該レンズ鏡筒に落下等により外力が作用したときの力の作用状態を示している。
【００１９】
本実施形態のレンズ鏡筒１は、ズーム駆動系による変倍駆動が可能なレンズ鏡筒であり、図１，２に示すようカメラ本体に固定支持されるに固定枠２と、固定枠２内に回転、かつ、進退可能な嵌入支持される第二の枠である回転枠３と、回転枠３内に支持され、第一群レンズ６を保持する第一の枠である第一群枠４と、第一群枠４内に支持され、第二群レンズ８を保持する第二群枠７と、回転枠３に支持され、第一，二群枠４，７の回転を規制するためのフロートキー１１とを有している。
【００２０】
なお、以下の各実施形態を含む説明において、撮影レンズ（第一，二群レンズ）の光軸をＯとし、光軸Ｏ方向の被写体側を前方、結像側を後方とする。
【００２１】
固定枠２は、円筒形状の枠部材であり、内周部に雌ヘリコイド２ａと、光軸Ｏ方向に沿った２つの直進溝２ｂとが設けられている。また、固定枠２には光軸Ｏ方向に沿った回転軸を有する駆動ギヤ１３が組み込まれており、前端内周部には回転枠３の外周と摺動する防塵、防水、遮光の機能を有するシールリング１６が嵌入されている。
【００２２】
回転枠３は、円筒形状の樹脂製枠部材であり、後端外周部に固定枠２の雌ヘリコイド２ａと螺合する雄ヘリコイド３ａおよび駆動ギヤ１３と噛合するギヤ部３ｂが重畳して設けられ、また、内周部に光軸Ｏ方向に対して斜行する２種類、各３本のカム溝３ｃ，３ｄ（図１には各１本のみが図示されている）が設けられている。カム溝３ｃ，３ｄは、成型時の型抜きのために必要な傾斜面を有する有底の溝である（図３）。また、回転枠３の前端内周部には第一群枠４の外周と摺動する防塵、防水、遮光の機能を有するシールリング１７が嵌入されている。
【００２３】
回転枠３は、駆動ギヤ１３によりギヤ部３ｂを介して回転駆動され、固定枠２に対して回動しながら雌ヘリコイド２ａ、雄ヘリコイド３ａにより光軸Ｏ方向に進退移動する。
【００２４】
第一群枠４は、円筒形状の樹脂製枠部材であり、回転枠３の内周部に相対回動可能、かつ、進退可能な状態で嵌入される。この第一群枠４は、前側の本体部４ａと後側の保持部としてのカムフォロア保持部４ｂとからなる。第一群枠４の内部にはレンズ保持枠５が固着されており、該レンズ保持枠５には、第一群レンズ６およびフォーカシング駆動ユニット９，シャッタユニット１０が組み込まれている（図２）。
【００２５】
カムフォロア保持部４ｂの外周は、本体部４ａの外周に対してラジアル方向に突出する外周面を成しており、本体部４ａの外周とカムフォロア保持部４ｂの外周との間を繋ぐ側面部となる段差部４ｅが形成されている（図３）。カムフォロア保持部４ｂの段差部４ｅの近くにカムフォロア嵌入用軸穴４ｈが設けられる。該軸穴４ｈの側方には、第二群枠７のカムフォロア１５を挿通させるための切欠部４ｄが配されている。
【００２６】
さらに、第一群枠４の内周部にはフロートキー１１が摺動可能に嵌入する光軸Ｏ方向に沿った真直のガイド溝４ｃが設けられ、さらに、該内周部に第二群枠７の回転を規制するための真直のガイド溝（図示せず）が設けられる。
【００２７】
カムフォロア保持部４ｂの外周部に固着される３本のカムフォロア１４（図１には１本のみ図示する）は、カムフォロア嵌入用軸穴４ｈに圧入、固着される軸部１４ａと、回転枠３のカム溝３ｃに摺動可能に係合するテーパ状摺動面である係合部１４ｂとからなり、係合部１４ｂは、軸部１４ａに対して軸対称形状を有している。
【００２８】
いま、カムフォロア１４の係合部１４ｂが回転枠３のカム溝３ｃと繰り込み側で接触する接触線を第一の接触線である後方側接触線１４b1とし、該後方側接触線１４b1が第一群枠進退軸である光軸Ｏの前方側（繰り出し側）とのなす傾斜角をθ1 とする。また、カムフォロア１４の係合部１４ｂが回転枠３のカム溝３ｃとが繰り出し側で接触する接触線を第二の接触線である前方側接触線１４b2として、前方側接触線１４b2が第一群枠進退軸（光軸Ｏ）の後方側（繰り込み側）とのなす傾斜角をθ2 とする。
【００２９】
本実施形態では、上記第一の軸線の後方側接触線と上記第二の軸線の前方側接触線とがなす角を二等分する線を軸線ａ1 としたとき、この軸線ａ1 は、カムフォロア１４の長さ方向の中心軸と一致するものであるが、この軸線ａ1 が繰り込み側にＲ方向（ラジアル方向）に対して傾きα1 を有するようにして、なおかつ、カムフォロア１４の係合部１４ｂを軸線ａ1 上の繰り込み側方向に設けられ、係合するカム溝３ｃもそれに対応して形成されている。
【００３０】
一方、カムフォロア１４の係合部１４ｂから軸線ａ1 上の繰り出し側方向に延在することになる軸部１４ａが嵌入固着される第一群枠４のカムフォロア嵌入用軸穴４ｈも嵌入方向が傾き角度α1 をもって形成される（図３）。
【００３１】
このようにカムフォロア嵌入用軸穴４ｈの中心軸が傾斜しているため、傾斜角θ1 は、傾斜角θ2 より大きくなっている（図３）。なお、傾斜角θ1 とθ2 は、共に鋭角である。
【００３２】
第二群枠７は、円筒形状の樹脂製枠部材であり、第一群枠４の内周部に回転規制、かつ、進退可能な状態で嵌入される。この第二群枠７は内周部に第二群レンズ８を保持しており、外周部には３本のカムフォロア１５が配されている。カムフォロア１５は、回転枠３のカム溝３ｄに摺動可能な状態で係合する。
【００３３】
フロートキー１１は、中央開口部を有する円環部から光軸Ｏ方向前方に延出する２つの突起状キー１１ｃと、上記円環部から外周側に突状の２つのガイド突起１１ｂとを有しており、さらに、上記円環部には周方向のガイドリング１２が固着されている。
【００３４】
このフロートキー１１は、回転枠３の後端部に相対回転可能状態でガイドリング１２を回転枠３の周方向ガイド溝（図示せず）に嵌入させ、ガイド突起１１ｂを固定枠２の直進溝２ｂに摺動可能に嵌入させて組み付けられる。したがって、回転枠３が回転しながら光軸Ｏ方向に進退移動した場合、フロートキー１１は、固定枠２によって回動規制された状態で回転枠３とともに光軸Ｏ方向に直進移動する。
【００３５】
フロートキー１１のキー１１ｃは、第一群枠４のガイド溝４ｃに摺動可能に嵌入する。したがって、第一群枠４は、フロートキー１１により固定枠２に対して回動が規制された状態で回転枠３に嵌入支持され、回転枠３の回動にともなってカム溝３ｃにより光軸Ｏ方向に進退駆動される。一方、第二群枠７も第一群枠４の内部にて回動が規制された状態で支持され、回転枠３のカム溝３ｄにより光軸Ｏ方向に進退駆動される。
【００３６】
上述した本実施形態のレンズ鏡筒１は、カメラ本体に組み込まれた状態でカメラが非撮影状態にあるときは、回転枠３，第一群枠４は、ともに固定枠２の内部に繰り込まれた沈胴状態にある。カメラを撮影可能な状態とするため、駆動ギヤ１３を所定の方向に回転駆動させると、回転枠３が回転しながら固定枠２から光軸Ｏ方向前方に繰り出される。第一群枠４は、回動規制状態で回転枠３よりも前方の撮影可能な位置まで繰り出される。第二群枠７は、第一群枠４の内部にて撮影可能な位置に移動する。以後、レンズ鏡筒１は、必要に応じて駆動ギヤ１３により各ズーミング位置に進退駆動され、撮影が実行される。
【００３７】
本実施形態のレンズ鏡筒１は、上述したようにカメラが撮影可能状態にあるとき、第一群枠４は前方に突出した繰り出し位置に移動している。万一、カメラをレンズ鏡筒側（前方側）を下方にして落下させた場合、第一群枠４の前端面が地面等の障害物に突き当たり、レンズ鏡筒１は、光軸Ｏ方向の外力Ｆ0 を受ける。上記外力Ｆ0 は、第一群枠４のカムフォロア１４と回転枠３のカム溝３ｃを介して伝達され、固定枠２により受け止められる。そのとき、第一群枠４および回転枠３は、ともに回転方向の移動が規制された状態にある。
【００３８】
上記外力が作用したときの第一群枠４と回転枠３のカムフォロア，カム溝に作用する力、および変形状態について、図３を用いて説明する。
【００３９】
カムフォロア１４が第一群枠４の外周に３箇所配されており、ここでは、１つのカムフォロア１４およびカム溝３ｃには、光軸Ｏ方向の外力Ｆ0 ／３が均等に作用するものとする。図３に示すようにカムフォロア１４が嵌入する傾斜した軸穴４ｈが受ける径方向の側圧力Ｆ10は、カムフォロア嵌入用軸穴４ｈが傾斜角α1 傾斜していることから、
Ｆ10＝（Ｆ0 ／３）×ｃｏｓα1 …（２）
となる。
【００４０】
すなわち、傾斜した軸穴４ｈが受ける径方向の側圧力Ｆ10は、図１０に示した従来のレンズ鏡筒にてカムフォロア嵌入軸穴４ｈが傾斜していないものに比較して小さくなる。したがって、上記外力による軸穴４ｈの変形が減り、カムフォロア軸部１４ａの抜け出しが防止される。また、軸穴４ｈを傾斜させることにより穴深さｔ1 を第一群枠４の枠厚さｔ0 よりも長くすることとも可能となり、軸固着力を増やすことができる。
【００４１】
一方、上記外力Ｆ0 ／３により係合部１４ｂとカム溝３ｃとの後方側（繰り込み側）接触線１４b1上には、垂直方向にＦ1 、および、水平方向にＦ2 が作用する。上記Ｆ2 は、
Ｆ2 ＝（Ｆ0 ／３）×ｃｏｓθ1 …（３）
である。但し、式（３）は、カム溝３ｃの光軸Ｏに対する傾斜（リード）を無視した場合である。
【００４２】
例えば、図１０に示した従来のレンズ鏡筒の場合、軸穴が傾斜していないので上記接触線の傾斜角に対応する傾斜角θ101とθ102とは等しくなっており、本実施形態のレンズ鏡筒１における傾斜角θ1 は、傾斜角θ101より大きくなる。したがって、（１）式と（３）式からカム溝の斜面に水平方向の分力Ｆ2 とＦ12とは、カムフォロアの係合部のテーパ角度を同等とした場合、
Ｆ2 ＜Ｆ12        …（４）
となり、カム溝の斜面に水平方向の分力Ｆ2 をより小さく抑えることができる。
【００４３】
上述したように本実施形態のレンズ鏡筒１においては、上述のようにカムフォロア１４が嵌入する軸穴４ｈが傾斜させられることとなり、落下等により第一群枠４の先端に外力が作用した場合の軸穴４ｈを変形させる力を減少させ、カムフォロア１４の抜けを防止することができる。さらに、軸線ａ1 を繰り出し側に傾けているので、傾斜角θ1 を傾斜角θ2 より大きくなり、カムフォロア１４がカム溝３ｃの斜面を滑る方向、すなわち、斜面に水平方向の分力を減らし、第一群枠４および回転枠３の径方向の変形を抑えてカムフォロア１４のカム溝３ｃからの係合離脱を抑えることができる。さらに、構成が簡単であることからレンズ鏡筒の小型化も図れる。
【００４４】
なお、本実施形態の場合、カムフォロア１４は、軸穴４ｈに対して圧入固着するものとしたが、これに限らず、ネジによる固着方法を適用するものであってもよい。
【００４５】
次に、本発明の第二の実施形態のレンズ鏡筒について、図４を用いて説明する。 
図４は、本実施形態のレンズ鏡筒におけるカムフォロアとカム溝の係合部まわりの光軸に沿った拡大断面図である。なお、本実施形態のレンズ鏡筒は、以下に説明する構成以外は、第一の実施形態のものと同様とする。
【００４６】
図４に示すように本実施形態のレンズ鏡筒におけるカムフォロア３３は、進退移動が可能な第一の枠である第一群枠３２の外周部に一体で形成されており、固着用軸部を有していない。
【００４７】
このカムフォロア３３の係合部３３ｂは、第二の枠である回転枠３１のカム溝３１ｃに係合している。
【００４８】
ここで、係合部３３ｂの後方側接触線（第一の接触線）３３b1と光軸Ｏ（第一群枠進退軸）とのなす傾斜角θ1 とし、前方側接触線（第二の接触線）３３b2の光軸Ｏ（第一群枠進退軸）の繰り込み側とのなす傾斜角θ2 としたとき、第一の実施形態と同様に第一の接触線３３b1と第二の接触線３３b2とのなす角を二等分する軸線ａ2 は、繰り込み側にＲ方向（ラジアル方向）に対して傾きα2 を有し、なおかつ、係合部３３ｂは、軸線ａ2 上繰り込み側方向に設けられる。なお、傾斜角θ1 は、傾斜角θ2 より大きい。
【００４９】
本実施形態のレンズ鏡筒においても第一群枠３２が外力Ｆ0 を受けた場合、第一の実施形態の場合と同様に第一群枠３２および回転枠３１がカムフォロア３３を介して受けるカム溝の斜面に水平方向の分力Ｆ2 をより小さく抑えることができる。それによって上記枠の径方向の変形量が少なくなり、カムフォロア３３とカム溝３１ｃとの係合の外れが防止される。
【００５０】
次に、本発明の第三の実施形態のレンズ鏡筒について、図５を用いて説明する。 
図５は、本実施形態のレンズ鏡筒におけるカムフォロアとカム溝の係合部まわりの光軸に沿った拡大断面図である。なお、本実施形態のレンズ鏡筒は、以下に説明する構成以外は、第一の実施形態のものと同様とする。
【００５１】
図５に示すように本実施形態のレンズ鏡筒において、進退移動可能な第一の枠である第一群枠４２は、カムフォロア４３を介して第二の枠である回転枠４１の外周側に支持されている。
【００５２】
ここで、カムフォロア４３の係合部４３ｂがカム溝４１ｃとが繰り込み側で接触する第一の接触線４３b1と光軸Ｏ（第一群枠進退軸）の前方側（繰り出し側）とのなす傾斜角θ11とし、繰り出し側で接触する第二の接触線４３b2と光軸Ｏ（第一群枠進退軸）の後方側（繰り込み側）とのなす傾斜角θ12としたとき、第一の実施形態とは異なり、第一の接触線４３b1と第二の接触線４３b2となす角を二等分する軸線ａ3 は、繰り出し側にＲ方向（ラジアル方向）に対して傾きα3 を有しているが、係合部４３ｂは、軸線ａ3 上繰り込み側に設けられる。なお、傾斜角θ11とθ12は、ともに鈍角となるが、傾斜角θ11は、傾斜角θ12より小さい。
【００５３】
一方、カムフォロア４３の係合部４３ｂから軸線ａ3 上繰り出し側方向に延在することになる軸部４３ａが圧入固着される第一群枠４２のカムフォロア嵌入用軸穴４２ｈも傾斜α3 をもって形成される。
【００５４】
より詳しくは、カムフォロア４３の係合部４３ｂは、軸部４３ａ側に向けて広がるテーパ面を有し、上記固着状態では鏡筒外方に向けて広がっている。回転枠４１の外周には係合部４３ｂが係合するカム溝４１ｃが設けられている。
【００５５】
上述した構成を有する本実施形態のレンズ鏡筒においては、軸線ａ3 を繰り出し側に傾けているので、カムフォロア嵌入用軸穴４２ｈが傾斜されることになり、レンズ鏡筒の第一群枠４２が落下等による外力を受けた場合、軸穴４２ｈが受ける径方向の側圧力は、図１０に示した従来のレンズ鏡筒にてカムフォロア嵌入軸穴が傾斜していないものに比較して小さくなる。したがって、上記外力による軸穴４２ｈの変形が減り、カムフォロア軸部４３ａの抜け出しが防止される。また、軸穴４２ｈの傾斜により嵌合長を長くすることが可能であり、カムフォロア４３の抜け出しが防止できる。
【００５６】
一方、落下等による外力の１つのカムフォロアに作用する外力Ｆ0 ／３（ここでは、各係合部４３ｂに均等に外力が掛かっているものとしている）によって、係合部４３ｂとカム溝４１ｃとの第一の接触線４３b1上には、垂直方向にＦ3 と水平方向にＦ4 が作用する。上記Ｆ4 は、
Ｆ4 ＝（Ｆ0 ／３）×ｃｏｓθ11…（５）
である。
【００５７】
上述のように軸線ａ3 を繰り出し側に傾けているので、それに伴って軸穴４２ｈが傾斜し（図３）、カムフォロア４３の係合部４３ｂの第一の接触線４３b1と光軸Ｏとのなす傾斜角θ11は、第二の接触線４３b2の光軸Ｏとのなす傾斜角θ12より小さい。
【００５８】
したがって、第一群枠４２が外力Ｆ0 を受けた場合、カムフォロア４３を介して受ける第一群枠４２および回転枠４１におけるカム溝４１ｃの斜面に水平方向の分力Ｆ4 をより小さく抑えることができる。それによって上記枠の径方向の変形が少なくなり、カムフォロア４３とカム溝４１ｃとの係合の外れが防止される。
【００５９】
次に、本発明の第四の実施形態のレンズ鏡筒について、図６を用いて説明する。 
図６は、本実施形態のレンズ鏡筒におけるカムフォロアとカム溝の係合部まわりの光軸に沿った拡大断面図である。なお、本実施形態のレンズ鏡筒は、以下に説明する構成以外は、第一の実施形態のものと同様とする。
【００６０】
図６に示すように本実施形態のレンズ鏡筒において、進退移動可能な第一の枠である第一群枠５２は、カムフォロア５３を介して第二の枠である回転枠５１の内周部に支持されている。
【００６１】
ここで、カムフォロア５３の係合部５３ｂがカム溝５１ｃとが繰り込み側で接触する第一の接触線５３b1と光軸Ｏ（第一群枠進退軸）の前方側（繰り出し側）とのなす傾斜角θ21とし、繰り出し側で接触する第二の接触線５３b2と光軸Ｏ（第一群枠進退軸）の後方側（繰り込み側）とのなす傾斜角θ22としたとき、第一の実施形態と同様に第一の接触線５３b1と第二の接触線５３b2とのなす角を二等分する軸線ａ4 は、繰り込み側にＲ方向（ラジアル方向）に対して傾きα4 を有し、なおかつ、係合部５３ｂは、軸線ａ4 上繰り込み側に設けられる。傾斜角θ21とθ22は、ともに鈍角となるが、傾斜角θ21は、傾斜角θ22より大きい。
【００６２】
一方、カムフォロア５３の係合部５３ｂから軸線ａ4 上繰り出し側方向に延在することになる軸部５３ａが圧入固着される第一群枠５２のカムフォロア嵌入用軸穴５２ｈも傾きα4 をもって形成される。
【００６３】
より詳しくは、カムフォロア５３の係合部５３ｂは、軸部５３ａ側と逆方向に向けて広がるテーパ面を有しており、上記固着状態では鏡筒外方に向けて広がっている。
【００６４】
回転枠５１の外周にはカムフォロア５３の係合部５３ｂが係合するカム溝５１ｃが設けられている。このカム溝５１ｃは、貫通した開口部を有しており、外周側からカムフォロア５３が挿入され、カムフォロア５３の軸部５３ａを上記開口部を貫通させて、第一群枠５２のカムフォロア嵌入用軸穴５２ｈに圧入する。
【００６５】
上述した構成を有する本実施形態のレンズ鏡筒においても落下等による外力を受けた場合、第一群枠５２および回転枠５１は、ともに回転方向の移動が規制された状態にあって、第一の実施形態の場合と同様に軸線ａ4 を繰り出し側に傾けているので、カムフォロア嵌入用軸穴５２ｈが傾斜させられることになり、軸穴５２ｈが受ける径方向の力は、図１０に示した従来のレンズ鏡筒にてカムフォロア嵌入軸穴が傾斜していないものに比較して小さくなる。したがって、上記外力による軸穴５２ｈの変形が減り、カムフォロア軸部５３ａの抜け出しが防止される。また、軸穴５２ｈの傾斜により嵌合長を長くすることが可能であり、カムフォロア５３の抜け出しがより確実に防止できる。
【００６６】
なお、傾斜角θ21が鈍角であることから落下等による外力によって第一群枠５２、および、回転枠５１は、カムフォロア５３を介してカムフォロア５３とカム溝５１ｃとの係合が食い込む方向の力を受けるので、上記外力によってカムフォロアの係合が外れることはない。
【００６７】
次に、本発明の第五の実施形態のレンズ鏡筒について、図７〜９を用いて説明する。 
図７は、本実施形態のレンズ鏡筒の主要部である回転枠と進退枠の分解斜視図である。図８は、上記進退枠の雄ヘリコイド部の展開図であって、上記雄ヘリコイド部に外力が作用したときの力の作用状態を示す。図９は、図８のＡ−Ａ断面（ヘリコイド直交断面）における上記回転枠と上記進退枠のヘリコイド係合状態と力の作用状態を示す。
【００６８】
本実施形態のレンズ鏡筒２０は、固定枠（図示せず）に回転可能に支持される筒状の第二の枠部材である回転枠２１と、回転枠２１の内周部に回転進退可能に嵌入する筒状の第一の枠部材である進退枠２２とを有している。進退枠２２には撮影レンズ２３が保持されている。回転枠２１は、駆動ギヤ（図示せず）により回転駆動される。進退枠２２は、フロートキー（図示せず）により回転規制された状態で進退可能に支持されている。
【００６９】
回転枠２１の内周部には、カム溝対応の６条の雌ヘリコイド２１ａが設けられている。なお、雌ヘリコイドのリード角は角度βとする。
【００７０】
進退枠２２には、後方外周部に雌ヘリコイド２１ａに摺動可能に螺合（係合）するカムフォロア対応の雄ヘリコイド部２２ａが設けられている。
【００７１】
雄ヘリコイド部２２ａは、繰り込み側となる左側雄ヘリコイド面２２a1と、繰り出し側となる右側雄ヘリコイド面２２a2とからなり、ネジ直角断面（Ａ−Ａ断面）上で非対称の断面形状を有している。当然ながら雌ヘリコイド２１ａも雄ヘリコイド部２２ａの断面形状に合わせた非対称断面形状を有している。
【００７２】
具体的にはＡ−Ａ断面上における第一の接触線に沿った左側雄ヘリコイド面２２a1の周の接線方向Ｔ0 とのなす角を傾斜角θ31として、Ａ−Ａ断面上における第二の接触線に沿った右側雄ヘリコイド面２２a2の周の接線方向Ｔ0 とのなす角を傾斜角θ32としたとき、第一の接触線と第二の接触線とのなす角を二等分する軸線ａ5 は、繰り込み側にＲ方向（ラジアル方向）に対して傾きα5 を有し、なおかつ、雄ヘリコイド部（係合部）２２ａは、軸線ａ5 上繰り込み側方向に設けられている形となっている。なお、傾斜角θ31は傾斜角θ32より大きく設定されている。
【００７３】
レンズ鏡筒２０において、回転枠２１を回転させると進退枠２２が前方に繰り出される。その繰り出し状態にてレンズ鏡筒２０を落下させた場合、進退枠２２が障害物当接して光軸Ｏ方向の衝撃力（外力）Ｆ0 を受け、光軸Ｏ方向の外力Ｆ0 ／６が１つの雄ヘリコイド部２２ａに作用する（図８）。ここでは、各雄ヘリコイド部２２ａに均等に外力が作用しているものとする。このとき、進退枠２２と回転枠２１とは、上記フロートキー、または、上記駆動ギヤにより回転規制された状態にある。
【００７４】
外力Ｆ0 ／６により左側雄ヘリコイド面２２a1上に直交する方向の分力Ｆ5 と、ヘリコイド面２２a1に水平方向の分力Ｆ6 が作用する。上記Ｆ6 は、
Ｆ6 ＝（Ｆ0 ／６）×ｃｏｓβ×ｃｏｓθ31  …（６）
である。なお、図８、図９のＦ5 ′は、上記Ｆ5 の周面上の成分を示す。
【００７５】
上述のように軸線ａ5 を繰り出し側に傾け、左側雄ヘリコイド面２２a1と右側雄ヘリコイド面２２a2とを非対称とし、その傾斜角θ31を傾斜角θ32より大きく設定しているので上記ヘリコイド面に水平方向の分力Ｆ6 が上記傾斜角を均等にした場合より小さくなる。したがって、上記外力が作用した場合、上記分力Ｆ6 による雄ヘリコイド部２２ａを介した進退枠２２と回転枠２１との径方向への変形が抑えられ、ヘリコイド螺合（係合）状態の外れが防止される。
【００７６】
上述したように本実施形態のレンズ鏡筒２０によれば、軸線ａ5 を繰り出し側に傾け、進退駆動のための雌ヘリコイド２１ａおよび雄ヘリコイド部２２ａの断面形状を非対称とすることで進退枠２２に落下等による外力が作用した場合、ヘリコイド螺合部における進退枠２２と回転枠２１とに生じる径方向への変形を少なく抑え、ヘリコイド螺合部の外れを防止することができる。
【００７７】
この発明は、上記各実施の形態に限ることなく、その他、実施段階ではその要旨を逸脱しない範囲で種々の変形を実施し得る。さらに、上記各実施形態には、種々の段階の発明が含まれており、開示される複数の構成要件における適宜な組合せにより種々の発明が抽出され得る。
【産業上の利用可能性】
【００７８】
本発明によるレンズ鏡筒は、落下等による衝撃力が作用した場合でもカムフォロアとカム溝の間の係合が外れにくく、また、カムフォロアの枠部材との固着部の抜け落ちも生じにくく、さらに、小型化も可能なレンズ鏡筒として利用できる。
【図面の簡単な説明】
【００７９】
【図１】本発明の第一の実施形態のレンズ鏡筒の分解斜視図である。
【図２】図１のレンズ鏡筒の光軸に沿った断面図である。
【図３】図１のレンズ鏡筒のカム溝／カムフォロア係合部まわりの光軸に沿った拡大断面図である。
【図４】本発明の第二の実施形態のレンズ鏡筒におけるカムフォロアとカム溝の係合部まわりの光軸に沿った拡大断面図である。
【図５】本発明の第三の実施形態のレンズ鏡筒におけるカムフォロアとカム溝の係合部まわりの光軸に沿った拡大断面図である。
【図６】本発明の第四の実施形態のレンズ鏡筒におけるカムフォロアとカム溝の係合部まわりの光軸に沿った拡大断面図である。
【図７】本発明の第五の実施形態のレンズ鏡筒の主要構成部材である回転枠と進退枠の分解斜視図である。
【図８】図７のレンズ鏡筒の進退枠の雄ヘリコイド部の展開図である。
【図９】図８のＡ−Ａ断面（ヘリコイド直交断面）で示した上記回転枠のカム溝と上記進退枠のカムフォロアの係合状態を示す図である。
【図１０】従来のレンズ鏡筒におけるカム溝とカムフォロアの係合状態を示す断面図である。
【符号の説明】
【００８０】
３，２１，３１，４１，５１
…回転枠（第二の枠）
３ｃ，３１ｃ，４１ｃ，５１ｃ
…カム溝
４，３２，４２，５２
…第一群枠（第一の枠）
１４，３３，４３，５３
…カムフォロア
１４ａ，４３ａ，５３ａ
…軸部
１４b1，４３b1，５３b1
…後方側接触線（第一の接触線）
１４b2，４３b2，５３b2，
…前方側接触線（第二の接触線）
２２  …進退枠（第一の枠）
Ｏ  …光軸（枠の進退軸）
【図１】
2008107422.tif 000003
【図２】
2008107422.tif 000004
【図３】
2008107422.tif 000005
【図４】
2008107422.tif 000006
【図５】
2008107422.tif 000007
【図６】
2008107422.tif 000008
【図７】
2008107422.tif 000009
【図８】
2008107422.tif 000010
【図９】
2008107422.tif 000011
【図１０】
2008107422.tif 000012